(57)【特許請求の範囲】
【請求項１】
Ｘ線管と、前記Ｘ線管から照射され被検者を通過したＸ線を検出するＸ線検出器と、前記Ｘ線管から前記被検者に向けて照射されるＸ線照射野を変更するための複数のコリメータリーフと当該コリメータリーフにより調整されるＸ線照射野を視認可能とするためのコリメータランプとを備えたコリメータと、互いに電圧が異なる少なくとも二種類の内部電源と、を備えたＸ線撮影装置において、
前記コリメータランプはＬＥＤランプから構成されるとともに、
前記少なくとも二種類の内部電源のいずれに接続した場合においても、接続された内部電源の電圧を前記ＬＥＤランプの順電圧に変換して、前記ＬＥＤランプを点灯させるＬＥＤドライバ回路を備えたことを特徴とするＸ線撮影装置。
【請求項２】
請求項１に記載のＸ線撮影装置において、
前記ＬＥＤドライバ回路は、
前記少なくとも二種類の内部電源のいずれかとの接続態様により、昇降圧モードまたは昇圧モードと、降圧モードとを切替可能なＤＣ−ＤＣコンバータ回路と、
入力電圧レベル検出手段と、
前記入力電圧レベル検出手段により検出した入力電圧に基づいて、前記少なくとも二種類の内部電源のいずれかと前記ＤＣ−ＤＣコンバータ回路との接続態様を切り替える接続切替手段と、
を備えるＸ線撮影装置。
【請求項３】
請求項２に記載のＸ線撮影装置において、
前記互いに電圧が異なる少なくとも二種類の内部電源は、前記ＬＥＤランプの順電圧より電圧が高い内部電源と、前記ＬＥＤランプの順電圧より電圧が低い内部電源であるＸ線撮影装置。
【請求項４】
請求項１に記載のＸ線撮影装置において、
前記ＬＥＤドライバ回路は、
前記少なくとも二種類の内部電源のいずれかの電圧を前記ＬＥＤランプの順電圧以下まで降圧する降圧回路と、
前記降圧回路により降圧された電圧を前記ＬＥＤランプの順電圧まで昇圧する昇圧回路と、
を備えるＸ線撮影装置。
【請求項５】
請求項４に記載のＸ線撮影装置において、
前記互いに電圧が異なる少なくとも二種類の内部電源のうちの少なくとも一つは、前記ＬＥＤランプの順電圧より電圧が高い内部電源であるＸ線撮影装置。
【請求項６】
請求項１から請求項５のいずれかに記載のＸ線撮影装置において、
前記互いに電圧が異なる少なくとも二種類の内部電源は、前記ＬＥＤランプの順電圧よりも電圧が低い交流電源と、前記ＬＥＤランプの順電圧よりも電圧が高い直流電源であるＸ線撮影装置。
【発明の詳細な説明】
【技術分野】
【０００１】
この発明は、Ｘ線管と、Ｘ線検出器と、Ｘ線管から前記被検者に向けて照射されるＸ線照射野を変更するための複数のコリメータリーフと、前記コリメータリーフにより調整されるＸ線照射野を視認可能とするためのコリメータランプとを備えたコリメータと、互いに電圧が異なる複数種の内部電源と、を備え、Ｘ線撮影またはＸ線透視を実行するためのＸ線撮影装置に関する。
【背景技術】
【０００２】
このようなＸ線撮影装置において、コリメータを利用してＸ線管から被検者に向けて照射されるＸ線の範囲であるＸ線照射野を調整するときには、コリメータに対し患者とは逆側に配設されたコリメータランプを点灯させることにより可視光の照射野を形成し、可視光の照射野を視認することでコリメータ機構により調整されるＸ線の照射野を確認している。
【０００３】
また、このようなＸ線撮影装置においては、コリメータランプによる光照射野の明るさは撮影の位置決めのためにはできるだけ明るい方がよいが、特に頭部や頸部の撮影時には光照射野が被検者の顔の付近に来るため、操作者がコリメータランプを点灯したとき光が直接被検者の目に入り被検者に不快感を与える不都合がある。このため、特許文献１には、コリメータランプを点灯させるためにランプ点灯スイッチを閉じると、タイマにより時間計測を開始するとともに、外部から入力される部位情報により頭頸部撮影か否かを判断し、頭頸部撮影の場合のみコリメータランプに印加する電圧が徐々に上昇して所定値に達するようにランプ電源回路に出力するランプ電圧設定信号を制御するＸ線撮影装置が開示されている。
【先行技術文献】
【特許文献】
【０００４】
【特許文献１】特開２００７−２２９３８７号公報
【発明の概要】
【発明が解決しようとする課題】
【０００５】
上述したコリメータランプとしては、従来、ハロゲンランプが使用されていた。しかしながら、近年、省電力で長寿命のＬＥＤランプをコリメータランプとして使用することが検討されている。このとき、従来のハロゲンランプを点灯させるための電源は、通常、ＡＣ１２Ｖ(ボルト)のものが使用される。これに対して、ＬＥＤランプを点灯するための電源としては、ＤＣ電源を使用することが好ましい。
【０００６】
図５は、従来の一般的なＸ線撮影装置の電源系統を示す回路図である。
【０００７】
従来のＸ線撮影装置においては、コリメータ２６におけるコリメータランプとしてのハロゲンランプ２７を点灯するためのＡＣ１２Ｖのコリメータランプ用電源系統と、ブレーキ、モータ、クラッチ、ソレノイド等の機械的負荷２８を駆動するためのＤＣ２４Ｖの機械的負荷用電源系統とが設けられている。ＡＣ１２Ｖのコリメータランプ用電源系統においては、ＡＣ２００Ｖの商用電源２９を第１トランス２１によりＡＣ１００Ｖとし、さらに、第２トランス２２によりＡＣ１２Ｖとすることにより、ハロゲンランプ２７用の内部電源を得ている。一方、ＤＣ２４Ｖの機械的負荷用電源系統においては、ＡＣ２００Ｖの商用電源２９を第１トランス２１によりＡＣ２００Ｖのままとし、さらに、ＡＣ／ＤＣコンバータ２３によりこれをＤＣ２４Ｖとすることにより、機械的負荷２８用の内部電源を得ている。なお、図５における符合２４はコリメータ２６用のスイッチであり、符合２５は機械的負荷２８用のスイッチである。
【０００８】
このような従来のＸ線撮影装置に対して、コリメータランプとしてハロゲンランプ２７に代えてＬＥＤランプを使用する場合において、既に納品され、稼働しているＸ線撮影装置のコリメータランプをハロゲンランプ２７からＬＥＤランプに交換するには、コリメータ内部の部品のみを交換する方式とすることが、現地の作業も容易であり、また、既存の部品の大半を使用できるため、交換部品も少なく安価となる。この場合には、ハロゲンランプ２７を点灯させるためのコリメータランプ用電源系統のＡＣ１２ＶでＬＥＤランプを点灯可能なＬＥＤドライバ回路が必要となる。
【０００９】
このような従来のＸ線撮影装置に対して、コリメータランプとしてハロゲンランプ２７に代えてＬＥＤランプを使用する場合において、工場出荷前にＸ線撮影装置のコリメータランプをハロゲンランプ２７からＬＥＤランプに交換するには、図５における第２トランス２２をＡＣ／ＤＣコンバータに変更してもよいが、さらに装置を安価に構成するためには、ＤＣ２４Ｖの機械的負荷用電源系統を利用してＬＥＤランプを点灯させることが考えられる。この場合には、機械的負荷２８を駆動するための機械的負荷用電源系統のＤＣ２４ＶでＬＥＤランプを点灯可能なＬＥＤドライバ回路が必要となる。
【００１０】
一方、コリメータランプとしてＬＥＤランプを使用する場合においては、ＬＥＤランプの駆動に必要な電圧は、典型的にはＤＣ１３．８Ｖ（最大１６．０Ｖ）となる。一般に、コリメータランプとしてＬＥＤランプを使用する場合には、ＧａＮ（ガリウムナイトライド）を半導体とする青色ＬＥＤを黄色蛍光体で覆った白色ＬＥＤランプが使用される。そして、国際規格や各国の規格に対応する明るさを限られたスペースで得るためには、４個の白色ＬＥＤランプを２×２に４個配置した構成が採用される。これらの４個のＬＥＤランプは、並列接続によるライン数の増加や電流の倍増あるいは故障の発生等を防止するため、一般的には直列接続される。ＧａＮを半導体とするＬＥＤにおいては、順電圧であるＶｆは３．４５Ｖ（最大４．００Ｖ）であることから、これらを４個直列に配置した場合に、ＬＥＤランプを点灯させるために必要な順電圧はＤＣ１３．８Ｖとなる。
【００１１】
上述したコリメータランプ用電源系統のＡＣ１２ＶでＬＥＤランプを点灯可能なＬＥＤドライバ回路の場合においては、ＡＣ１２Ｖから整流・平滑回路によりＤＣ１３．８Ｖをつくる必要がある。このときには、平滑回路のコンデンサの容量をある程度に抑えないと、電源を投入したときのコンデンサへの充電のための突入電流が過大となって回路が大きくなることから、平滑化した電圧波形にある程度のリプルを許容して、平滑回路のコンデンサ容量をある程度に抑える必要がある。このとき、ＡＣ１２Ｖに対して６Ｖ程度のリプルを許容した場合には、平滑後の電圧はＤＣ１１ＶからＤＣ１７Ｖの変動波形となり、ＬＥＤランプの順電圧である１３．８Ｖより大きくなる瞬間と小さくなる瞬間が混在することになる。このため、ＬＥＤドライバ回路としては、常に昇圧または降圧では対応することはできず、昇降圧モードの回路が必要となる。
【００１２】
一方、上述した機械的負荷を駆動するための機械的負荷用電源系統のＤＣ２４ＶでＬＥＤランプを点灯可能なＬＥＤドライバ回路の場合においては、コリメータランプ用電源系統の場合のような整流・平滑回路は不要であり、また、入力電圧であるＤＣ２４ＶはＬＥＤランプの順電圧である１３．８Ｖより大きいことから、降圧モードの回路が必要となる。なお、ＤＣ２４Ｖの入力に対して、昇降圧モードの回路を利用してＬＥＤランプの順電圧である１３．８Ｖを作成することも不可能ではないが、この場合においては、対地電位が４０Ｖ程度になることから、ＬＥＤドライバ回路の耐圧性能を向上させる必要が生じ、回路が大型化するという問題が生ずる。
【００１３】
このように、コリメータランプ用電源系統のＡＣ１２ＶでＬＥＤランプを点灯可能なＬＥＤドライバ回路と、機械的負荷を駆動するための機械的負荷用電源系統のＤＣ２４ＶでＬＥＤランプを点灯可能なＬＥＤドライバ回路とは、別の回路となる。このため、ＡＣ１２Ｖ入力時とＤＣ２４Ｖ入力時において、それぞれ専用のＬＥＤドライバ回路基板を作成してそれらを選択的に使用する方法と、単一のＬＥＤドライバ回路基板に二種類のドライバ回路を搭載してそれらを入力電圧に応じて設定する方法が考えられる。
【００１４】
しかしながら、前者の専用のＬＥＤドライバ回路基板を作成してそれらを選択的に使用する方法を採用した場合においては、基板の共通化が不可能となりコストが増加するばかりではなく、誤発注等により誤った基板を接続した場合には、装置が損傷を受け、あるいは、発煙・発火等が生ずる可能性がある。
【００１５】
一方、後者の単一のＬＥＤドライバ回路基板に二種類のドライバ回路を搭載してそれらを入力電圧に応じて設定する方法を採用した場合においては、基板の共通化により装置コストを低減することは可能となるが、設定を誤るリスクがあり、この場合においても、装置が損傷を受け、あるいは、発煙・発火等が生ずる可能性がある。
【００１６】
この発明は上記課題を解決するためになされたものであり、コリメータランプとしてＬＥＤランプを使用する場合において、互いに電圧が異なる複数の内部電源のいずれにＬＥＤドライバ回路を接続した場合においても、適正かつ安全にＬＥＤランプを点灯することが可能なＬＥＤドライバ回路を備えたＸ線撮影装置を提供することを目的とする。
【課題を解決するための手段】
【００１７】
請求項１に記載の発明は、Ｘ線管と、前記Ｘ線管から照射され被検者を通過したＸ線を検出するＸ線検出器と、前記Ｘ線管から前記被検者に向けて照射されるＸ線照射野を変更するための複数のコリメータリーフと当該コリメータリーフにより調整されるＸ線照射野を視認可能とするためのコリメータランプとを備えたコリメータと、互いに電圧が異なる少なくとも二種類の内部電源と、を備えたＸ線撮影装置において、前記コリメータランプはＬＥＤランプから構成されるとともに、前記少なくとも二種類の内部電源のいずれに接続した場合においても、接続された内部電源の電圧を前記ＬＥＤランプの順電圧に変換して、前記ＬＥＤランプを点灯させるＬＥＤドライバ回路を備えたことを特徴とする。
【００１８】
請求項２に記載の発明は、請求項１に記載の発明において、前記ＬＥＤドライバ回路は、前記少なくとも二種類の内部電源のいずれかとの接続態様により、昇降圧モードまたは昇圧モードと、降圧モードとを切替可能なＤＣ−ＤＣコンバータ回路と、入力電圧レベル検出手段と、前記入力電圧レベル検出手段により検出した入力電圧に基づいて、前記少なくとも二種類の内部電源のいずれかと前記ＤＣ−ＤＣコンバータ回路との接続態様を切り替える接続切替手段と、を備える。
【００１９】
請求項３に記載の発明は、請求項２に記載の発明において、前記互いに電圧が異なる少なくとも二種類の内部電源は、前記ＬＥＤランプの順電圧より電圧が高い内部電源と、前記ＬＥＤランプの順電圧より電圧が低い内部電源である。
【００２０】
請求項４に記載の発明は、請求項１に記載の発明において、前記ＬＥＤドライバ回路は、前記少なくとも二種類の内部電源のいずれかの電圧を前記ＬＥＤランプの順電圧以下まで降圧する降圧回路と、前記降圧回路により降圧された電圧を前記ＬＥＤランプの順電圧まで昇圧する昇圧回路と、を備える。
【００２１】
請求項５に記載の発明は、請求項４に記載の発明において、前記互いに電圧が異なる少なくとも二種類の内部電源のうちの少なくとも一つは、前記ＬＥＤランプの順電圧より電圧が高い内部電源である。
【００２２】
請求項６に記載の発明は、請求項１から請求項５のいずれかに記載の発明において、前記互いに電圧が異なる少なくとも二種類の内部電源は、前記ＬＥＤランプの順電圧よりも電圧が低い交流電源と、前記ＬＥＤランプの順電圧よりも電圧が高い直流電源である。
【発明の効果】
【００２３】
請求項１に記載の発明によれば、コリメータランプとしてＬＥＤランプを使用する場合において、互いに電圧が異なる少なくとも二種類の内部電源のいずれにＬＥＤドライバ回路を接続した場合においても、適正かつ安全にＬＥＤランプを点灯することが可能となる。
【００２４】
請求項２および請求項３に記載の発明によれば、接続される内部電源に対応して昇降圧モードまたは昇圧モードと、降圧モードとのいずれかを選択することにより、適正かつ安全にＬＥＤランプを点灯することが可能となる。
【００２５】
請求項４または請求項５に記載の発明によれば、接続される内部電源の電圧をＬＥＤランプの順電圧以下まで降圧した後、順電圧まで昇圧することにより、適正かつ安全にＬＥＤランプを点灯することが可能となる。
【００２６】
請求項６に記載の発明によれば、例えば、従来のハロゲンランプ用の電源と、機械的負荷用電源のいずれの電源にＬＥＤドライバ回路を接続した場合においても、適正かつ安全にＬＥＤランプを点灯することが可能となる。
【図面の簡単な説明】
【００２７】
【図１】この発明に係るＸ線撮影装置としての透視撮影台の正面概要図である。
【図２】コリメータ１３をＸ線管１２とともに示す概要図である。
【図３】この発明の第１実施形態に係るＬＥＤドライバ回路８０の回路図である。
【図４】この発明の第２実施形態に係るＬＥＤドライバ回路８０の回路図である。
【図５】従来の一般的なＸ線撮影装置の電源系統を示す回路図である。
【発明を実施するための形態】
【００２８】
以下、この発明の実施の形態を図面に基づいて説明する。図１は、この発明に係るＸ線撮影装置としての透視撮影台の正面概要図である。
【００２９】
このＸ線透視台は、被検者Ｍを載置するための天板１１と、この天板１１上の被検者Ｍに対してＸ線を照射するＸ線管１２と、Ｘ線管１２から照射されたＸ線の照射野を規制するためのコリメータ１３と、Ｘ線管１２から照射され被検者Ｍを通過したＸ線を検出するイメージインテンシファイア（Ｉ．Ｉ．）やフラットパネルディテクタ等のＸ線検出器１４とを備える。Ｘ線管１２とコリメータ１３とは、本体１５に連結する支柱１６により支持されている。また、天板１１も、図示しない連結機構により、本体１５と連結されている。
【００３０】
支柱１６は、本体１５に対して水平方向に移動可能に構成されている。この支柱１６の移動に伴って、Ｘ線管１２およびコリメータ１３も、天板１１の表面に沿って往復移動する。なお、本体１５は、脚部１７に対して回動可能に配設されている。このため、天板１１は、図１に示すように、その表面が床面２０と平行となって水平方向を向く臥位撮影姿勢と、天板１１の表面が床面２０と垂直となって鉛直方向を向く立位撮影姿勢とをとることもできる。
【００３１】
図２は、上述したコリメータ１３をＸ線管１２とともに示す概要図である。
【００３２】
このコリメータ１３は、Ｘ線管１２から照射されるＸ線の照射野を制限するための４枚のコリメータリーフ３３を備える。なお、この図においては、２枚のコリメータリーフ３３のみを図示しているが、実際には、４枚のコリメータリーフ３３により矩形状のＸ線照射野が形成される。この図においては、Ｘ線照射野を符号Ｅで示している。また、このコリメータ１３は、Ｘ線照射野を視認可能とするための可視光を照射するコリメータランプとしてのＬＥＤランプ３１を備える。ＬＥＤランプ３１から照射される可視光は、ミラー３２によりコリメータリーフ３３の方向に反射され、４枚のコリメータリーフ３３により矩形状の可視光の照射野が形成される。Ｘ線管１２の焦点とＬＥＤランプ３１とは共役な位置に配置されており、可視光の照射野のサイズは、Ｘ線照射野のサイズと同一となる。
【００３３】
次に、この発明の特徴部分であるＬＥＤドライバ回路８０の構成について説明する。図３は、この発明の第１実施形態に係るＬＥＤドライバ回路８０の回路図である。
【００３４】
このＬＥＤドライバ回路８０は、図５に示す第１トランス２１、第２トランス２２およびＡＣ／ＤＣコンバータ２３により作り出されたＤＣ２４Ｖ用の内部電源４１と、ＡＣ１２Ｖ用の内部電源４２とを、選択的に、直列接続された４個のＬＥＤ３０より構成されるＬＥＤランプ３１と接続することにより、ＬＥＤランプ３１に各ＬＥＤ３０の順電圧を供給するためのものである。なお、４個のＬＥＤ３０より構成されるＬＥＤランプ３１の順電圧は、上述したように、ＤＣ１３．８Ｖとなっている。
【００３５】
この第１実施形態に係るＬＥＤドライバ回路８０は、４個のダイオードを備えた整流回路４３と、コンデンサを備えた平滑回路４４と、入力電圧レベル検出器４５と、切替スイッチ４７を切り替えるための電源接続切替部４６と、ＤＣ−ＤＣコンバータ回路４０とを備える。
【００３６】
上記入力電圧レベル検出器４５は、例えば、レファレンス電源電圧と入力電源電圧とを比較するコンパレータ回路から構成される。ここで、レファレンス電源電圧は、例えば、２０Ｖに設定される。また、電源接続切替部４６は、入力電圧レベル検出器４５の出力に連動して動作するｃ接点リレーから構成される。
【００３７】
ＤＣ−ＤＣコンバータ回路４０は、一対のコンデンサ５７、５８と、コイル５３と、ショットキーバリアダイオード５５と、トランジスタ５４と、抵抗５６と、ＤＣチョッパコントローラ４８とを備える電流制御型ＤＣチョッパ回路から構成される。このＤＣ−ＤＣコンバータ回路４０においては、抵抗５６間の電圧から電流を測定し、その電流に基づいてトランジスタ５４のオン、オフを制御する構成を有する。
【００３８】
この第１実施形態に係るＬＥＤドライバ回路８０に対して、内部電源としてＡＣ１２Ｖ用の内部電源４２が接続された場合においては、整流回路４３により整流され、平滑回路４４により平滑化された電圧は、平滑回路４４のコンデンサの容量を突入電流が過度に大きくなるのを防止するためにある程度の容量に抑えた場合には、ＤＣ１１Ｖ〜ＤＣ１７Ｖ程度の範囲で変動を生ずる。この場合においては、電圧がＬＥＤランプ３１の順電圧であるＤＣ１３．８Ｖの上下に変動するため、この電圧を昇降圧する必要がある。
【００３９】
ＬＥＤドライバ回路８０にＡＣ１２Ｖ用の内部電源４２が接続された場合には、入力電圧レベル検出器４５が、電圧がレファレンス電源電圧である２０Ｖより低いことを検出し、電源接続切替部４６を介して、切替スイッチ４７を、図３に示す下側の端子との接続状態とする。
【００４０】
このときには、ＤＣ−ＤＣコンバータ回路４０は、昇降圧チョッパ回路として機能する。ＤＣチョッパコントローラ４８は、抵抗５６間の電圧から電流を測定し、その電流に基づいてトランジスタ５４をオン、オフしてＬＥＤランプ３１への電流を制御する。これにより、ポイント５１における電圧はＤＣ１１Ｖ〜ＤＣ１７Ｖ程度の範囲で変動を生ずるが、これに対応して、ポイント５２における電圧は、その電圧にＬＥＤランプ３１の順電圧であるＤＣ１３．８Ｖを付加した電圧となる。このため、ＬＥＤランプ３１には、常に、順電圧であるＤＣ１３．８Ｖが付与される。
【００４１】
一方、この第１実施形態に係るＬＥＤドライバ回路８０に対して、内部電源としてＤＣ２４Ｖ用の内部電源４１が接続された場合においては、入力電圧レベル検出器４５が、電圧がレファレンス電源電圧である２０Ｖより高いことを検出し、電源接続切替部４６を介して、切替スイッチ４７を、図３に示す状態とは逆状態である、上側の端子との接続状態とする。
【００４２】
このときには、ＤＣ−ＤＣコンバータ回路４０は、降圧チョッパ回路として機能する。ＤＣチョッパコントローラ４８は、抵抗５６間の電圧から電流を測定し、その電流に基づいてトランジスタ５４をオン、オフしてＬＥＤランプ３１からの電流を制御する。これにより、ＬＥＤランプ３１には、常に、順電圧であるＤＣ１３．８Ｖが付与される。
【００４３】
このように、この第１実施形態に係るＬＥＤドライバ回路８０においては、接続される内部電源に対応して昇降圧モードと降圧モードとのいずれかが自動的に選択されることから、コリメータランプとしてＬＥＤランプ３１を使用する場合において、互いに電圧が異なる複数の内部電源４１、４２のいずれにＬＥＤドライバ回路８０を接続した場合においても、適正かつ安全にＬＥＤランプ３１を点灯することが可能となる。
【００４４】
なお、この第１実施形態に係るＬＥＤドライバ回路８０においては、互いに電圧が異なる複数種の内部電源は、ＬＥＤランプ３１の順電圧より電圧が高い内部電源と、ＬＥＤランプ３１の順電圧より電圧が低い内部電源であるときに好適に作用する。この場合において、各内部電源はＡＣ（交流）電源とＤＣ（直流）電源である必要はない。交流電源が使用されない場合においては、上述した整流回路４３および平滑回路４４を省略することが可能となる。
【００４５】
なお、各内部電源として交流電源を使用せず、直流電源だけが使用される場合においては、昇降圧チョッパ回路のかわりに昇圧チョッパ回路を使用してもよい。すなわち、このような場合においては、ＤＣ−ＤＣコンバータ回路４０として、昇圧チョッパ回路と、降圧チョッパ回路との機能を有するものを使用すればよい。
【００４６】
次に、この発明の他の実施形態について説明する。図４は、この発明の第２実施形態に係るＬＥＤドライバ回路８０の回路図である。
【００４７】
このＬＥＤドライバ回路８０は、第１実施形態と同様、図５に示す第１トランス２１、第２トランス２２およびＡＣ／ＤＣコンバータ２３により作り出されたＤＣ２４Ｖ用の内部電源４１と、ＡＣ１２Ｖ用の内部電源４２とを、選択的に、直列接続された４個のＬＥＤ３０より構成されるＬＥＤランプ３１と接続することにより、ＬＥＤランプ３１に各ＬＥＤ３０の順電圧を供給するためのものである。なお４個のＬＥＤ３０より構成されるＬＥＤランプ３１の順電圧は、第１実施形態と同様、ＤＣ１３．８Ｖとなっている。
【００４８】
この第２実施形態に係るＬＥＤドライバ回路８０は、４個のダイオードを備えた整流回路４３と、コンデンサを備えた平滑回路４４と、降圧回路６１と、昇圧回路７１とを備える。
【００４９】
降圧回路６１は、電圧制御型降圧チョッパ回路を構成するものであり、トランジスタ６３と、ショットキーバリアダイオード６４と、一対の抵抗６６、６７と、コンデンサ６８と、降圧チョッパコントローラ６２とを備える。降圧チョッパコントローラ６２は、一対の抵抗６６、６７の間の位置において電圧を測定し、その電圧に基づいてトランジスタ６３をオン、オフすることにより、降圧作用を実行する。
【００５０】
一方、昇圧回路７１は、電流制御型昇圧チョッパ回路を構成するものであり、コイル６９と、トランジスタ７３と、ショットキーバリアダイオード７５と、コンデンサ７４と、抵抗７６と、昇圧チョッパコントローラ７２とを備える。昇圧チョッパコントローラ７２は、抵抗７６間の電圧から電流を測定し、その電流に基づいてトランジスタ７３をオン、オフすることにより、昇圧作用を実行する。
【００５１】
この第２実施形態に係るＬＥＤドライバ回路８０においては、内部電源としてＡＣ１２Ｖ用の内部電源４２が接続された場合においては、整流回路４３により整流され、平滑回路４４により平滑化される点を除き、ＤＣ２４Ｖの内部電源４１が接続された場合も、ＡＣ１２Ｖの内部電源４１が接続された場合も、同様の動作を実行する。
【００５２】
すなわち、この第２実施形態に係るＬＥＤドライバ回路８０に内部電源４１、４２が接続された場合には、最初に、降圧回路６１により平滑回路４４を通過した後の電圧が、ＬＥＤランプ３１の順電圧より低い、例えば、８Ｖ程度の電圧まで降圧される。次に、昇圧回路７１により、降圧後の電圧がＬＥＤランプ３１の順電圧である１３．８Ｖまで昇圧される。
【００５３】
このように、この第２実施形態に係るＬＥＤドライバ回路８０においては、接続される内部電源の電圧をＬＥＤランプ３１の順電圧以下まで降圧した後、順電圧まで昇圧することから、コリメータランプとしてＬＥＤランプ３１を使用する場合において、互いに電圧が異なる複数の内部電源４１、４２のいずれにＬＥＤドライバ回路８０を接続した場合においても、適正かつ安全にＬＥＤランプ３１を点灯することが可能となる。
【００５４】
なお、この第２実施形態に係るＬＥＤドライバ回路８０においては、互いに電圧が異なる複数種の内部電源のうちの少なくとも一つは、ＬＥＤランプ３１の順電圧より電圧が高い内部電源であるときに好適に作用する。この場合において、各内部電源はＡＣ（交流）電源とＤＣ（直流）電源である必要はない。交流電源が使用されない場合においては、上述した整流回路４３および平滑回路４４を省略することが可能となる。
【００５５】
上述した第１、第２実施形態においては、いずれも、ＬＥＤランプ３１として、４個のＬＥＤ３０を使用したものについて説明したが、ＬＥＤ３０の数は４個に限定されるものではない。また、ＬＥＤランプ３１を、単一のＬＥＤ３０から構成するようにしてもよい。
【符号の説明】
【００５６】
１２    Ｘ線管
１３    コリメータ
１４    Ｘ線検出器
３０    ＬＥＤ
３１    ＬＥＤランプ
３３    コリメータリーフ
４０    ＤＣ−ＤＣコンバータ回路
４１    内部電源
４２    内部電源
４３    整流回路
４４    平滑回路
４５    入力電圧レベル検出器
４６    電源接続切替部
４７    切替スイッチ
４８    ＤＣチョッパコントローラ
６１    降圧回路
６２    降圧チョッパコントローラ
７１    昇圧回路
７２    昇圧チョッパコントローラ
８０    ＬＥＤドライバ回路
【図１】
0006540459.tif 000002
【図２】
0006540459.tif 000003
【図３】
0006540459.tif 000004
【図４】
0006540459.tif 000005
【図５】
0006540459.tif 000006